(57)【要約】      （修正有）【課題】操作性に優れると共に、除去された塵埃等を蓄積し、排出することが可能な携帯用ブラシを提供する。【解決手段】短い傾斜立毛を応用した携帯用ブラシは、弾性変形可能な材料で構成されたブラシプレート１と、使用のための独特の保持機構により、傾斜立毛４の方向性を特に意識することなく、使用できる優れた操作性を得るとともに、使用後、ブラシプレートを収納できる本体ケース２の内部に、ブラシプレートと同じく傾斜立毛を応用した第１、第２の除塵ブラシ２１，２２を配置することにより、ブラシプレートに捕集された塵埃等を本体ケース内で効率良く除去し、蓄積し、排出して、ブラシプレートのブラシ面及び、本体ケース内を常時清浄に維持することを実現した。【選択図】図１
0003146319.tif 000002
【実用新案登録請求の範囲】
【請求項１】
衣服等に付着した塵埃等の異物を取り除くためのブラシプレートと、ブラシプレートを引き出し、収納を可能にする本体ケースとを具え、前記、ブラシプレートは、弾性変形可能な支持板と、支持板の表面に一方向に傾斜した無数の立毛を植設したブラシ面を有し、本体ケースは前記ブラシプレートを収納する収納空間及び、ブラシプレートを出し入れするための開口部を有すると共に、ブラシプレートを収納した際、ブラシプレートのブラシ面と摺接するように配置され、ブラシプレートの出入方向に開口部から奥まる方向に沿って配置した、第一及び第二の除塵ブラシを有する。前記、第一及び第二の除塵ブラシの立毛は、ブラシプレートのブラシ面の傾斜立毛と同一の方向、即ち、ブラシプレートを本体ケースに収納する方向に傾斜していることを特徴とする携帯用ブラシ。
【請求項２】
請求項１に記載の携帯用ブラシにおいて、前記ブラシプレートの先端には引き出し突起が設けられ、後端部には係止棹と係合するストッパーが設けられ、ブラシプレートが引き出し限度まで引き出されたところで本体ケースに保持されることを特徴とする携帯用ブラシ。
【請求項３】
請求項１及び２に記載の携帯用ブラシにおいて、クリーニング操作を行うために、前記、ブラシプレートを本体ケースから引き出す際、前記第一、及び第二の除塵ブラシは、ブラシプレートのブラシ面に対して清掃作用を果たし、ブラシ面に付着している塵埃等は第一、及び第二の除塵ブラシにより除去され、清浄な状態のブラシプレートが、引き出されることを特徴とする携帯用ブラシ。
【請求項４】
請求項３に記載の携帯用ブラシにおいて、クリーニング操作の終了後に、ブラシプレートを本体ケースに収納する際、ブラシプレートは第一の除塵ブラシを清掃する作用を果たし、第一の除塵ブラシに保持されている塵埃等は、ブラシプレート側に転移しブラシプレートの移動により、第二の除塵ブラシを通過し、本体ケースの奥側まで搬送され、次に再度ブラシプレートを本体ケースから引き出す際、第二の除塵ブラシ側に転移し、本体ケースの最奥部空間に順次、搬送蓄積されることを特徴とする携帯用ブラシ。
【請求項５】
請求項１から４に記載の携帯用ブラシにおいて、前記本体ケースには、第一、及び第二の除塵ブラシを設けている側でブラシプレートの出し入れできる開口部から最も離れた底部の一部に、蓄積された塵埃等を排出するための排出口を設け、開閉機構を介して、排出口を開閉できる窓を設けることを特徴とする携帯用ブラシ。
【請求項６】
請求項５に記載の携帯用ブラシにおいて、前記排出窓を構成する部材を光学的に透明な材料を使用し、塵埃の蓄積状態を外部から認識することが出来ることを特徴とする携帯用ブラシ。
【考案の詳細な説明】
【技術分野】
【０００１】  本考案は傾斜立毛を応用した携帯用ブラシ、特に操作性に優れると共に、ブラシ表面を常時清浄な状態に維持することが可能な携帯用ブラシに関するものである。
【背景技術】
【０００２】  平面上に短い繊維、毛等の立毛を緻密に植設し、その毛足を一定の方向に倒伏するようにくせ付けして、衣服等に付着した埃や塵を除去する携帯用ブラシが実用化され、日本はもとより欧米にも普及している。（特許文献１参照）携帯用ブラシはコンパクトな構造であり衣服のポケットに収納して持ち運びが出来るが、更に進化して、傾斜した無数の立毛が植設されたブラシプレートを本体ケース内に挿脱自在に出来る構造とし、ブラシプレートが本体ケースに挿脱操作をすることにより、捕集された塵埃が本体ケース内に設けた除塵ブラシで分離回収されブラシ表面を常時清浄に維持出来るよう改良された製品が既知である。（特許文献２、および３参照）
【特許文献１】実用新案登録ＮＯ．５８７６０７号公報
【特許文献２】特公昭５１−３８１７４号公報
【特許文献３】実公昭５９−３９９７７号公報
【考案の開示】
【考案が解決しようとする課題】
【０００３】  前述の、一方向に傾斜した無数の立毛を用いたブラシは、衣服等についた塵埃等を確実に取り除く優れたクリーニング性能を有している。しかしながら、ブラシを使用するに際し、常に清掃対象面に対し、ブラシの立毛の傾斜方向に、摺動させなければ清掃効果」を得られない。若し、反対方向に摺動すると、清掃対象面上を滑るだけで清掃効果を得られないのみならず、ブラシ面に付着していた塵埃を、清掃対象面に移行、付着させることになる。従って、操作方向はブラシの立毛の傾斜方向に合致するよう、製品の表面の見やすい場所に、矢印等のマークを付し、使用者はマーク等を確認しながら操作しなければならない点が課題である。前述の既知の携帯用ブラシは、ブラシケースを引き出した後、１８０度転回させて本体ケースに固着し、本体ケース背面に印されたマークを確認して清掃操作を行う。操作方向を変える場合は一旦持ち替える必要があり、使用者にとって操作性に難点があった。さらに、捕集された塵埃等は本体ケース内に拡散した状態で蓄積するため、取り出しにくい点も課題となっていた。【０００４】  従って、本考案の目的は、操作性に優れた携帯用ブラシを実現することにある。さらに、捕集された塵埃等を集積して、排出し易い状態にすることが可能でコンパクトな携帯用ブラシを提供することにある。
【課題を解決するための手段】
【０００５】  本考案による携帯ブラシは、衣服等の塵埃を取り除くための弾性変形可能のブラシプレートと、ブラシプレートを出し入れ可能に収納する本体ケースを具える。前記ブラシプレートは本体ケースから限度位置まで引き出した状態で、基部が本体ケース内に保持され、清掃対象面に弾性変形し摺接する面上に、本体ケースの開口部方向に傾斜した短い無数の立毛が植設されていることを特徴とする。前記本体ケースは、ブラシプレートを収納する空間及び、ブラシプレートを出し入れするための開口部を有すると共に、ブラシプレートが収納された際、ブラシプレートのブラシ面と対向する内側表面にブラシ面と摺接するように装着され、ブラシプレートの入る方向に、開口部から離れる方向に沿って配置した第１、第２の除塵ブラシを有し、前記第１及び第２の除塵ブラシは、ブラシプレートの立毛と同一の方向に傾斜した無数の短い立毛を有することを特徴とする。【０００６】  本考案では、ブラシプレートの立毛の傾斜方向と除塵ブラシの傾斜方向を同一方向に設定する。即ちブラシプレートを本体ケースから引き出す場合、除塵ブラシはブラシプレートのブラシ面に対し清掃作用を果たし、次に、ブラシプレートを本体ケースに収納する場合、ブラシ面は除塵ブラシに回収、付着している塵埃を本体ケース奥方向に移送するようし作用する。この結果、ブラシプレートのブラシ面は常時、清浄な状態を維持し、また、捕集された塵埃等は順次、本体ケースの奥側に搬送蓄積される。蓄積された麈埃は、本体ケース奥側の底部に排出口と、本体ケースに支持され開閉可能の排出窓を設け、取り出せる構造を特徴とした。
【考案の効果】
【０００７】  今回の携帯用ブラシは、ブラシプレートを本体ケースから取り出した状態で、直ちに、方向性を意識することなく、自然な操作で使用できる。操作方法は本体ケースを指先で軽くはさむように保持して使用する。（図２参照）衣服等の表面をブラッシングする時の人間の基本動作は、前方から手前に引くように、或いは、上方から下方へ、右方から左方へ、または、その反対方向へ、払うように手先を動かす習性がある。本考案の携帯用ブラシを使用するときもあたかも使用者の揃えた指先で、衣服等の表面を、払うような動作で行われる。即ち、ブラシを持ち替えることなく、いずれの方向にも、手首のわずかなひねりで対応できるので、従来の製品に比べ極めて操作性が良いことを特徴とする。、ブラシ面に捕集された塵埃は、ブラシプレートが本体ケースに収納される際、本体ケース内の第１、第２の除塵ブラシの作用により、ブラシプレートのブラシ面が常時、清浄な状態に維持されると共に、除去された塵埃は、本体ケース奥側に搬送、蓄積され排出口から容易に取り出すことが出来る。【０００８】  ブラシプレートは本体ケースから引き出されると基部に設けた係止棹が、本体ケース内に設けたストッパーに係合し、限度位置で保持されるので、ブラシ面が衣服等の表面に摺接する際の圧力はブラシプレートの適度の変形弾力により、過大な摩擦にならず、衣服当の生地を傷めることなく清掃できる。
【考案を実施するための最良の形態】
【０００９】  図１は本考案による携帯用ブラシの一例を示し、ブラシプレート１を本体ケース２から引き出した状態を示す。図１Ａは分解斜視図、図１Ｂは側壁を除いて示す側面図、及び図１Ｃはブラシプレートを引き出し、使用状態にした斜視図である。本考案による携帯用ブラシは、埃や塵等の異物を除去するための四角形のブラシプレート１を有し、ブラシプレート１は本体ケース２内に収納することが出来る。図１Ｂに示すようにブラシプレート１は、弾性変形可能な材料、例えば、ポリエステル、ナイロン等の可撓性の支持板１１の片側表面上に、毛やナイロン、その他の合成繊維を材料とした無数の傾斜立毛４が植設されているブラシ布１２を接着して構成する。立毛はブラシプレート１を本体ケース２内に収納するａ方向に傾斜する。【００１０】  ブラシプレート１の支持板１１の一端側に引き出し突起１３が形成され、使用者は引き出し突起を利用して、ブラシプレートを本体ケース２から引き出すことが出来る。支持板１１の他端側には、係止棹１４ａ，１４ｂを設け、本体ケース内のストッパー２３ａ，２３ｂと係合してブラシプレートの引き出す際の限界位置を規定する。【００１１】  ブラシプレート１を収納する本体ケース２はブラシプレート１を収納する空間２ａ及び、ブラシプレート１を出し入れするための開口部２ｂを有する。本体ケース２においてブラシプレート１の傾斜立毛と対向する内側表面に、第１、第２の除塵ブラシ２１，２２を装着する。これら除塵ブラシは、無数の短い立毛で構成され、ブラシプレート１の傾斜立毛４と同様にブラシプレートの本体ケースへの挿入方向に傾斜する。また、第１、第２の除塵ブラシ２１，２２はブラシプレートの挿入方向であるａ方向に離間して配置されると共に、ブラシプレートの傾斜立毛４に対し摺接するように配置される。【００１２】  本体ケース２の開口部２ｂと反対側の奥の底面に本体ケース内に蓄積された塵埃を排出するための排出口２ｃを設けると共に排出窓１０を設け、開閉機構２４で開閉自在とする。使用者は本体ケース内に塵埃等が蓄積した場合排出窓を開けて取り出すことが出来る。なお、排出窓を光学的に透明な材料で構成することにより、本体ケース内に塵埃が蓄積されているか否か、外部より認識することが出来る。従って、本体ケースを何時も最適の状態に維持することが出来る。【００１３】  図２は本考案による携帯用ブラシの使用例を示す。使用者は一方の手で本体ケース２を保持し、他方の手で引き出し突起を引っ張って引き出し限度位置までブラシプレートを引き出す。使用者は引き出した状態で、ブラシプレートを、クリーニングする衣服等の表面３０に軽く押し当てる。ブラシプレート１は弾性変形し、傾斜立毛４が衣服３０に対し適度の力で圧接された状態となる。この状態において、本体ケース２を手前側に引くと、立毛４は手前側に傾斜しているので、立毛が衣服表面に対して清掃する作用を果たし、衣服３０の表面に付着している塵埃等は、ブラシプレートの立毛に捕集され除去される。一方、本体ケース２を反対方向に操作しても、ブラシプレートの立毛が植設されていない面が衣服表面を滑るだけとなる。このように本考案の携帯用ブラシを使用するときは、傾斜立毛の方向性に格別��注意を払うことなく、衣服等の表面を清掃することが可能となる。【００１４】  次に、図３を参照しながら、本考案による携帯用ブラシの塵埃除去動作について説明する。図３Ａはブラシプレート１を本体ケース２から引き出し、衣服等を清掃した状態を示す。清掃操作により、ブラシプレートの傾斜立毛４には、衣服側から捕集された塵埃４０が付着している。図３Ｂは清掃操作が終了すると、使用者はブラシプレートを矢印ａ方向に移動させて本体ケース内に収納する。この際、ブラシプレートに付着した塵埃４０は、第１の除塵ブラシ２１をそのまま通過する。【００１５】  次に、図３Ｃに示すように、再度、清掃するためにブラシプレート１を本体ケース２から引き出すと、先にブラシプレートに付着していた塵埃４０は、第１の除塵ブラシ２１に転移して本体ケース内に残留し、ブラシプレートのブラシ面は、清浄な状態に維持される。【００１６】  次に、図３Ｄに示すように、再び清掃が終了し、ブラシプレートを本体ケースに収納する際先に、ブラシプレートから転移して本体ケース内に残留していた塵埃は、次々と本体ケースの奥側に搬送、蓄積される。蓄積された塵埃等は排出窓１０を開いて排出口２ｃから取り出すことができる。
【図面の簡単な説明】
【００１７】
【図１】本考案による携帯用ブラシの一例を示す図である。
【図２】本考案による携帯用ブラシの使用例を示す線図である。
【図３】本考案による携帯用ブラシの一連の作用を示す線図である。
【符号の説明】
【００１８】  １  ブラシプレート
２  本体ケース
４  傾斜立毛
１０  排出窓
１１  支持板
１２  ブラシ布
１３  引き出し突起
１４ａ，１４ｂ  係止棹
２１  第１の除塵ブラシ
２２  第２の除塵ブラシ
２３ａ，２３ｂ  ストッパー
２４  開閉機構
【図１】
0003146319.tif 000003
【図２】
0003146319.tif 000004
【図３】
0003146319.tif 000005